(57)【要約】【課題】省エネルギー運転ができるとともに、短時間で運転を開始することができ、また、小型化および低騒音化が図れる加湿装置を提供することを目的とする。【解決手段】水槽１の貯水２に下端部を浸漬するとともに、回転可能に設けた円筒状の蒸気発生体３の表面を加熱する加熱体４と、水槽１と蒸気発生体３および加熱体４よりなる蒸気発生部５と、蒸気発生部５を収納する本体６とを備え、蒸気発生体３の表面に付着した水分を集中的に加熱することにより、省エネルギー運転ができるとともに、短時間で運転を開始することができ、また、小型化および低騒音化が図れる加湿装置が得られる。【選択図】図１
2008180409.tif 000002
【特許請求の範囲】
【請求項１】
水槽の貯水に下端部を浸漬するとともに、水平軸を中心に回転可能に設けた円筒状の蒸気発生体と、この蒸気発生体の表面を加熱する加熱体と、前記水槽と蒸気発生体および加熱体よりなる蒸気発生部と、この蒸気発生部を収納する本体とを備え、前記蒸気発生体の表面に付着した水分を集中的に加熱して加湿する構成とした加湿装置。
【請求項２】
本体に吸気口と吹出口を設け、前記本体に蒸気発生部と送風手段を収納し、前記送風手段は前記蒸気発生部によって生成された蒸気を、前記吹出口より前記本体外に吹き出す構成とした請求項１記載の加湿装置。
【請求項３】
蒸気発生体の回転方向を、加熱体の近傍側において貯水面から上方へ上昇し、加熱体の遠方側において貯水面下に水没する方向とした請求項１または２記載の加湿装置。
【請求項４】
加熱体を、赤外線を蒸気発生体に向けて放射する赤外線放射体とした請求項１または２記載の加湿装置。
【請求項５】
加熱体の背面に反射板を設け、前記反射板の断面形状を、前記加熱体を中心とした放物線より曲率半径小なる曲線形状とした請求項１または２記載の加湿装置。    
【請求項６】
蒸気発生体を、熱伝導度の低い金属で形成した請求項１または２記載の加湿装置。
【請求項７】
蒸気発生体を、表面が黒色の素材または表面加工された不燃性材料または難燃性材料で形成した請求項１または２記載の加湿装置。
【請求項８】
蒸気発生体の表面に親水性薄膜を形成した請求項１または２記載の加湿装置。
【請求項９】
蒸気発生部の内側面に反射体を設けた請求項１記載の加湿装置。
【請求項１０】
蒸気発生体の表面に凹凸部を設けた請求項１記載の加湿装置。
【請求項１１】
水槽部に複数の蒸気発生体を近接して配置した請求項１記載の加湿装置。
【発明の詳細な説明】
【技術分野】
【０００１】
本発明は、蒸気発生体の表面に付着した水分を集中的に加熱して加湿する加湿装置に関する。
【背景技術】
【０００２】
従来、この種の加湿装置の一例として加熱釜を発熱体で加熱して霧化させる加湿機が知られている（例えば、特許文献１参照）。
【０００３】
以下、その加湿機について図８および図９を参照にしながら説明する。
【０００４】
図に示すように、本体１０１内に設けた開口部１０２を有する隔壁１０３と、隔壁１０３の開口部１０２に臨ませて付設した加熱釜１０４と、加熱釜１０４を加熱する発熱体１０５と、隔壁１０３の開口部１０２の周囲に着脱可能に載置した霧化筒１０６を有し、霧化筒１０６に近接して開口部１０２の周囲に隔壁１０３より立設する環状壁１０７を形成し構成している。
【０００５】
また、この種の加湿装置の他の例として水面を加熱する加湿器が知られている（例えば、特許文献２参照）。
【０００６】
以下、その加湿器について図１０を参照しながら説明する。
【０００７】
図に示すように、上部構成体１０８には下方に開放する反射板１０９が設けられるとともに、反射板１０９の中心に赤外線ランプ等のヒーター１１０が設けられ、反射板１０９には蒸気孔１１１が設けられるとともに、上部構成体の対応する位置にも蒸気孔１１２が設けられ、下部構成体１１３に貯水部１１４が設けられ、貯水部１１４には皿１１５が装着され構成されている。
【特許文献１】実用新案登録第２５８０６３２号公報（［００１３］〔００１４〕図１、図２）
【特許文献２】実開平３−１０７６３６号公報（第３頁、第４頁、第図１）
【発明の開示】
【発明が解決しようとする課題】
【０００８】
このような従来の加湿機では、加熱釜１０４内の水を発熱体１０５で加熱するため、加熱容量が大きく、立上り時間が長く、熱効率も良くないという課題があり、熱効率を向上し加湿能力を高めることが要求されている。
【０００９】
また、従来の他の例の加湿器では、貯水部１１４の水面をヒーター１１０で直接過熱するため、水面で反射され、加熱効率が悪く加湿能力も低いという課題があり、加熱効率を向上し加湿能力を高めることが要求されている。
【００１０】
本発明は、このような従来の課題を解決するものであり、省エネルギー運転が可能で、加湿運転の待ち時間の短縮および小型化を図ることのできる加湿装置を提供することを目的としている。
【課題を解決するための手段】
【００１１】
本発明の加湿装置は上記目的を達成するために、水槽の貯水に下端部を浸漬するとともに、水平軸を中心に回転可能に設けた円筒状の蒸気発生体と、この蒸気発生体の表面を加熱する加熱体と、前記水槽と蒸気発生体および加熱体よりなる蒸気発生部と、この蒸気発生部を収納する本体とを備え、前記蒸気発生体の表面に付着した水分に集中的に加熱して加湿する構成としたものである。
【００１２】
この手段により、省エネルギー運転ができるとともに、短時間で運転を開始することができ、また、小型化および低騒音化が図れる加湿装置が得られる。
【００１３】
また、他の手段は、本体に吸気口と吹出口を設け、前記本体に蒸気発生部と送風手段を収納し、前記送風手段は、前記蒸気発生部によって生成された蒸気を、前記吹出口より前記本体外に吹き出す構成としたものである。
【００１４】
この手段により、加湿空気を安全な温度で広範囲に供給することができる加湿装置が得られる。
【００１５】
また、他の手段は、蒸気発生体の回転方向を、加熱体の近傍側において貯水面から上方へ上昇し、加熱体の遠方側において貯水面下に水没する方向としたものである。
【００１６】
この手段により、水分を多量に付着させた蒸気発生体を加熱して、効率良く加湿できる加湿装置が得られる。
【００１７】
また、他の手段は、加熱体を、赤外線を蒸気発生体に向けて放射する赤外線放射体としたものである。
【００１８】
この手段により、熱エネルギーを効率良く水分の蒸発に利用することができる加湿装置が得られる。
【００１９】
また、他の手段は、加熱体の背面に反射板を設け、前記反射板の断面形状を、前記加熱体を中心とした放射線より曲率半径小なる曲線形状としたものである。
【００２０】
この手段により、加熱体の反射された熱線を蒸気発生体の表面に狭く集中して照射することができる加湿装置が得られる。
【００２１】
また、他の手段は、蒸気発生体を、熱伝導度の低い金属で形成したものである。
【００２２】
この手段により、蒸気発生体の表面に付着した水分を気化させ易くすることができる加湿装置が得られる。
【００２３】
また、他の手段は、蒸気発生体を、表面が黒色の素材または表面加工された不燃性材料または難燃性材料で形成したものである。
【００２４】
この手段により、気化を効率良く行うことができ、また、蒸気発生体が異常高温となった場合でも、安全に使用することができる加湿装置が得られる。
【００２５】
また、他の手段は、蒸気発生体の表面に親水性薄膜を形成したものである。
【００２６】
この手段により、水分を薄膜状に付着して蒸発時間を短縮化することができ、また、蒸気発生体の表面汚れやカルキ成分を浮かせて洗い流すことができる加湿装置が得られる。
【００２７】
また、他の手段は、蒸気発生部の内側面に反射体を設けたものである。
【００２８】
この手段により、他の部品の表面温度を上昇させることなく、蒸気発生体の表面温度を上昇させることができる加湿装置が得られる。
【００２９】
また、他の手段は、蒸気発生体の表面に凹凸部を設けたものである。
【００３０】
この手段により、加湿量を増加させることができる加湿装置が得られる。
【００３１】
また、他の手段は、水槽部に複数の蒸気発生体を近接して配置したものである。
【００３２】
この手段により、加湿能力を増加させることができるとともに、熱効率を高めることのできる加湿装置が得られる。
【発明の効果】
【００３３】
本発明によれば、省エネルギー運転ができるとともに、短時間で運転を開始することができ、また、小型化および低騒音化が図れるという効果のある加湿装置を提供できる。
【００３４】
また、加湿空気を安全な温度で広範囲に供給することができるという効果のある加湿装置を提供できる。
【００３５】
また、効率良く加湿できるという効果のある加湿装置を提供できる。
【００３６】
また、熱エネルギーを効率良く水分の蒸発に利用することができるという効果のある加湿装置を提供できる。
【００３７】
また、加熱体の反射された熱線を蒸気発生体の表面に狭く集中して照射することができるという効果のある加湿装置を提供できる。
【００３８】
また、蒸気発生体の表面に付着した水分を気化させ易くすることができるという効果のある加湿装置を提供できる。
【００３９】
また、気化を効率良く行うことができ、また、異常高温時の安全を補償することができるという効果のある加湿装置を提供できる。
【００４０】
また、蒸発時間を短縮化することができ、また、蒸気発生体の表面汚れやカルキ成分を浮かせて洗い流すことができるという効果のある加湿装置を提供できる。
【００４１】
また、他の部品の表面温度を上昇させることなく、蒸気発生体の表面温度を上昇させることができるという効果のある加湿装置を提供できる。
【００４２】
また、加湿量を増加させることができるという効果のある加湿装置を提供できる。
【００４３】
また、加湿能力を増加させることができるとともに、熱効率を高めることができるという効果のある加湿装置を提供できる。
【発明を実施するための最良の形態】
【００４４】
本発明の請求項１記載の発明は、水槽の貯水に下端部を浸漬するとともに、水平軸を中心に回転可能に設けた円筒状の蒸気発生体と、この蒸気発生体の表面を加熱する加熱体と、前記水槽と蒸気発生体および加熱体よりなる蒸気発生部と、この蒸気発生部を収納する本体とを備え、前記蒸気発生体の表面に付着した水分を集中的に加熱して加湿する構成としたものであり、従来のヒータ式加湿機は、加熱釜をバンドヒータなどで加熱して、加湿釜内の水温を上昇させるものであったので、加熱容量が大きいために加湿の立ち上がり時間が長く必要となるとともに、熱エネルギーが加湿釜の壁面から外部周辺に放散されてしまい熱効率の良いものではなったが、本発明は、回転する蒸気発生体の表面に付着した水分を集中的に加熱することで蒸発させるため、加熱釜の貯水を加熱する従来のヒータ式加湿機と比較して加熱エネルギーを少なく抑えて省エネルギー運転ができるとともに、加湿運転の待ち時間を短縮して短時間で運転を開始することができ、また、フィルター式加湿機に比べて、容積大なるフィルターを使用しないので、本体の小型化が可能となり、また、送風手段の送風空気をフィルターに通風することがないので、送風手段の小型化および低騒音化が図れるという作用を有する。
【００４５】
また、請求項２記載の発明は、本体に吸気口と吹出口を設け、前記本体に蒸気発生部と送風手段を収納し、前記送風手段は前記蒸気発生部によって生成された蒸気を、前記吹出口より前記本体外に吹き出す構成としたものであり、蒸気発生部によって得られた加湿空気は比較的高温となるため、送風手段によって吸気口より取り入れた常温空気と、蒸気発生部で生成された蒸気を混合させた状態で室内へ供給することにより、加湿空気を安全な温度で広範囲に供給することができるという作用を有する。
【００４６】
また、請求項３記載の発明は、蒸気発生体の回転方向を、加熱体の近傍側において貯水面から上方へ上昇し、加熱体の遠方側において貯水面下に水没する方向としたものであり、蒸気発生体の回転により、貯水が蒸気発生体に付着して貯水面から上へ露出すると、即座に加熱体によって加熱されるので、蒸気発生体に付着した貯水が蒸気発生体より離脱する前に最大の加熱量で加熱することができ、効率良く加湿することができるという作用を有する。
【００４７】
また、請求項４記載の発明は、加熱体を、赤外線を蒸気発生体に向けて放射する赤外線放射体としたものであり、赤外線を照射することにより、蒸気発生体を加熱して表面温度が上昇し、さらに蒸気発生体に付着した貯水の温度も上昇させることができるため、熱エネルギーを効率良く水分の蒸発に利用することができるという作用を有する。
【００４８】
また、請求項５記載の発明は、加熱体の背面に反射板を設け、前記反射板の断面形状を、前記加熱体を中心とした放物線より曲率半径小なる曲線形状としたものであり、加熱体〜放出された熱線のうち、背面に放出される熱線を反射板で反射するときに反射方向を平行よりさらに狭い範囲に絞り込むことができ、加熱体の反射された熱線を蒸気発生体の表面に狭く集中して照射することができるという作用を有する。
【００４９】
また、請求項６記載の発明は、蒸気発生体を、熱伝導度の低い金属で形成したものであり、蒸気発生体の表面に供給された熱エネルギーが、蒸気発生体内部の熱伝導によって貯水内部に浸漬した部位へ伝わり貯水内へ熱伝導することを最小限に抑えることで、蒸気発生体の被加熱部分の温度を高めて、表面に付着した水分を気化させやすくすることができるという作用を有する。
【００５０】
また、請求項７記載の発明は、蒸気発生体を、表面が黒色の素材または表面加工された不燃性の材料または難燃性材料で形成したものであり、蒸気発生体を黒色の不燃性材料で形成することによって、加熱体より発せられた赤外線の吸熱を効率良く行うことができ、その結果、蒸気発生体の表面から気化を効率よく行うことができる。また、不燃性材料または難燃性材料を採用していることによって、異常高温時の安全を補償することができるという作用を有する。
【００５１】
また、請求項８記載の発明は、蒸気発生体の表面に親水性薄膜を形成したものであり、親水性薄膜の作用により、蒸気発生体の表面に薄い水膜を形成し、この薄い水膜を加熱することで蒸発時間を短縮化することができ、また、蒸気発生体の表面汚れや水道水に含まれるカルキ成分を浮かせることができるため、回転して貯水に水没したときに洗い流すことができるという作用を有する。
【００５２】
また、請求項９記載の発明は、蒸気発生部の内側面に反射体を設けたものであり、加熱体から発せられた赤外線が他の部品の表面温度を上昇させることなく、蒸気発生体の表面温度を上昇させることができるという作用を有する。
【００５３】
また、請求項１０記載の発明は、蒸気発生体の表面に凹凸部を設けたものであり，蒸気発生体の表面に付着する水分量を増やすことができるため、加湿量を増加させることができるという作用を有する。
【００５４】
また、請求項１１記載の発明は、水槽部に複数の蒸気発生体を近接して配置したものであり、蒸気発生体を複数設けることにより、同時に加熱する蒸気発生体の表面積が増えて加湿能力を増加させることができるとともに、発熱体の輻射熱が水面に反射して放散することが少なくなるため、熱効率を高めることができるという作用を有する。
【００５５】
以下、本発明の実施の形態について図面を参照しながら説明する。
【００５６】
（実施の形態１）
図１および図２に示すように、水槽１の貯水２に下端部を浸漬するとともに、水平軸を中心に回転可能に設けた円筒状の蒸気発生体３と、蒸気発生体３の表面を加熱する加熱体４と、水槽１と蒸気発生体３および加熱体４よりなる蒸気発生部５と、蒸気発生部５を収納する本体６とを備え、蒸気発生部５の表面に付着した水分を集中的に加熱して加湿するように設ける。
【００５７】
また、本体６に吸気口７と吹出口８を設け、本体６に蒸気発生部５とケーシング９およびファン１０よりなる送風手段１１を収納し、送風手段１１は蒸気発生部５によって生成された蒸気を、吹出口８より本体６外に吹き出すように設け、蒸気発生体３の回転方向を、加熱体４の近傍側において貯水面１２から上方へ上昇し、加熱体４の遠方側において貯水面１２下に水没する方向として設ける。
【００５８】
また、加熱体４を赤外線１３を蒸気発生体３に向けて放射するハロゲンヒータ、ニクロムヒータ、カーボンヒータ等からなる赤外線放射体１４を形成し、加熱体４の背面にアルミ板、銅板等よりなる反射板１５を設け、反射板１５の断面形状を、加熱体４を中心とした放射線より曲率半径小なる曲線形状に形成し、蒸気発生体３を、アルミ、鉄、チタン合金、低熱伝導セラミック等の熱伝導度の低い金属で形成し、水槽１には所定の水位を維持できるように給水タンク１６により給水されるように構成している。
【００５９】
上記構成において、加湿装置を運転すると送風手段１１が駆動し、蒸気発生体３が反時計方向に回転し、蒸気発生体３に付着した水分は加熱体４により加熱され、気化された水分は送風手段１１による空気流とともに、吹出口８より室内に吹き出され加湿が行われることとなる。
【００６０】
そして、水槽１の貯水２に下端部を浸漬するとともに、水平軸を中心に回転可能に設けた円筒状の蒸気発生体３と、蒸気発生体３の表面を加熱する加熱体４と、水槽１と蒸気発生体３および加熱体４よりなる蒸気発生部５と、蒸気発生部５を収納する本体６とを備え、蒸気発生体３の表面に付着した水分を集中的に加熱して加湿するので、従来のヒータ式加湿機では、加湿釜をバンドヒータなどで加熱して加湿釜内の水温を上昇させるものであったので、加熱容量が大きいために加湿の立ち上がり時間が長く必要となるとともに、熱エネルギーが加湿釜の壁面から外部周辺に放散されてしまい熱効率の良いものでなかったが、本発明では回転する蒸気発生体３の表面に付着した水分を集中的に加熱することで蒸発させるため、加熱釜の貯水を加熱する従来のヒータ式加湿機と比較して、加熱エネルギーを少なく抑えて省エネルギー運転ができるとともに、加湿運転の待ち時間を短縮して短時間で運転を開始することができる。また、フィルター式加湿機に比べて容積大なるフィルターを使用していないので、本体６の小型化が可能となり、さらに送風手段１１の送風空気をフィルターに通風することがないので、送風手段１１の小型化および低騒音化が図れることとなる。
【００６１】
また、本体６に吸気口７と吹出口８を設け、本体６に蒸気発生部５と送風手段１１を収納し、送風手段１１は蒸気発生部５によって生成された蒸気を、吹出口８より本体６外に吹き出すように構成したので、蒸気発生部５によって得られた加湿空気は比較的高温となるため、送風手段１１によって吸気口７より取り入れた常温空気と、蒸気発生部５で生成された蒸気を混合させた状態で室内へ供給することにより、加湿空気を安全な温度で広範囲に供給することができることとなる。
【００６２】
また、蒸気発生体３の回転方向を、加熱体４の近傍側において貯水面１２から上方へ上昇し、加熱体４の遠方側において貯水面１２下に水没する反時計方向としたものであるので、蒸気発生体３の回転により、貯水２が蒸気発生体３に付着して貯水面１２から上へ露出すると即座に加熱体４によって加熱されるので、蒸気発生体３に付着した貯水２が蒸気発生体３より離脱する前に最大の加熱量で加熱することができ、効率良く加湿することができることとなる。
【００６３】
また、加熱体４を、赤外線１３を蒸気発生体３に向けて放射する赤外線放射体１４としたので赤外線を照射することにより、蒸気発生体３を加熱して表面温度が上昇し、さらに蒸気発生体３に付着した貯水２の温度も上昇させることができるため、熱エネルギーを効率良く水分の蒸発に利用することができることとなる。
【００６４】
また、加熱体４の背面に反射板１５を設け、反射板１５の断面形状を、加熱体４を中心とした放物線より曲率半径が小なる曲線形状としたので、加熱体４から放出された赤外線１３のうち、背面に放出される赤外線１３を反射板１５で反射するときに反射方向を平行よりさらに狭い範囲に絞り込むことができ、加熱体４の反射された赤外線１３を蒸気発生体３の表面に狭く集中して照射することができることとなる。
【００６５】
また、蒸気発生体３を、熱伝導度の低い金属で形成したので、蒸気発生体３の表面に供給された熱エネルギーが、蒸気発生体３内部の伝導度によって貯水２内部に浸漬した部位へ伝わり、貯水２内へ熱伝導することを最小限に抑えることで、蒸気発生体３の被加熱部分の温度を高めて、表面に付着した水分を気化させやすくすることができることとなる。
【００６６】
（実施の形態２）
図３に示すように、蒸気発生体３Ａを、表面１７が黒色の素材または表面加工された炭素繊維性の構成体、セラミック焼結体、難燃性合成樹脂等からなる不燃性材料または難燃性材料で形成し構成する。
【００６７】
上記構成において、蒸気発生体３Ａを黒色の不燃性材料で形成することによって、加熱体４Ａより発せられた赤外線１３Ａの吸熱を効率良く行うことができ、その結果蒸気発生体３Ａの表面から気化を効率良く行うことができ、また、不燃性材料または難燃性材料採用していることによって、異常高温時の安全を補償することができることとなる。
【００６８】
なお、黒色でない不燃性材料で形成した蒸気発生体３Ａに対して黒色のカーボン、チタン焼成物、銅、クロム酸化物等の不燃性塗料で表面１７をコーティングした場合も同様の効果を得ることができる。
【００６９】
（実施の形態３）
図４に示すように、蒸気発生体３Ｂの表面１７Ａに酸化チタンなどの親水性薄膜１８を生成し、加熱体４Ｂより発せられた紫外線により光触媒の超親水性効果を発揮できる構成とする。
【００７０】
上記構成において、親水性薄膜１８の作用により、蒸気発生体３Ｂの表面１７Ａに薄い水膜を形成し、この薄い水膜を加熱体４Ｂにより加熱することで、蒸発時間の短縮化を図ることができ、また、蒸気発生体３Ｂの表面の汚れや、水道水に含まれるカルキ成分を浮かせることができるため、蒸気発生体３Ｂが回転して貯水２Ａに水没したときに洗い流すことができることとなる。
【００７１】
（実施の形態４）
図５に示すように、蒸気発生部５Ａの内側面にアルミ製反射板等によりなる反射体１９を設け構成する。
【００７２】
上記構成において、加熱体４Ｃから発せられた赤外線１３Ｂが反射体１９により、他の部品の表面温度を上昇させることなく、蒸気発生体３Ｃの表面温度を上昇させることができることとなる。
【００７３】
（実施の形態５）
図６に示すように、蒸気発生体３Ｄの表面１７Ｂにエンボス加工等を施して形成した凹凸部２０を設け構成する。
【００７４】
上記構成において、蒸気発生体３Ｄの表面に１７Ｂに付着する水分量が凹凸部２０によって増やすことができるため、加湿量を増加させることができることとなる。
【００７５】
（実施の形態６）
図７に示すように、水槽部２１に複数の蒸気発生体３Ｅを近接して並べ設け、加熱体４Ｄおよび反射板１５Ａを複数の蒸気発生体３Ｅを加熱できるように配置し、反射体１９Ｃを蒸気発生部５Ｂに設け構成する。
【００７６】
上記構成において、蒸気発生体３Ｅを複数設けることにより、同時に加熱体４Ｄおよび反射板１５Ａにより加熱する蒸気発生体３Ｅの表面積が増えて加熱能力を増加させることができるとともに、加熱体４Ｄの輻射熱が貯水面１２Ａに反射して放散することが少なくなり、熱効率を高めることができることとなる。
【産業上の利用可能性】
【００７７】
本発明にかかる加湿装置は、省エネルギー運転ができるとともに、短時間で運転を開始することができ、また、小型化および低騒音化が図れるという効果を奏し、蒸気発生体の表面に付着した水分を集中的に加熱して加湿する加湿装置等として有用である。
【図面の簡単な説明】
【００７８】
【図１】本発明の実施の形態１の加湿装置の概略断面図
【図２】同加湿装置の蒸気発生体と加熱体の赤外線の関係を示す分解図
【図３】本発明の実施の形態２の加湿装置の蒸気発生体と加熱体の関係を示す分解図
【図４】本発明の実施の形態３の加湿装置の概略断面図
【図５】本発明の実施の形態４の加湿装置の概略断面図
【図６】本発明の実施の形態５の加湿装置の概略断面図
【図７】本発明の実施の形態６の加湿装置の概略断面図
【図８】従来の加湿機の断面図
【図９】同加湿機の要部斜視図
【図１０】従来の他の例の加湿器の断面図
【符号の説明】
【００７９】
１      水槽
２      貯水
３      蒸気発生体
３Ａ    蒸気発生体
３Ｂ    蒸気発生体
３Ｄ    蒸気発生体
３Ｅ    蒸気発生体
４      加熱体
５      蒸気発生部
５Ａ    蒸気発生部
６      本体
７      吸気口
８      吹出口
１１    送風手段
１２    貯水面
１３    赤外線
１４    赤外線放射体
１５    反射板
１７    表面
１７Ａ  表面
１７Ｂ  表面
１８    親水性薄膜
１９    反射体
２０    凹凸部
２１    水槽部
【図１】
2008180409.tif 000003
【図２】
2008180409.tif 000004
【図３】
2008180409.tif 000005
【図４】
2008180409.tif 000006
【図５】
2008180409.tif 000007
【図６】
2008180409.tif 000008
【図７】
2008180409.tif 000009
【図８】
2008180409.tif 000010
【図９】
2008180409.tif 000011
【図１０】
2008180409.tif 000012